(57)【特許請求の範囲】
【請求項１】
上方が開口した略Ｕ字状の切り欠き部が形成されたブラケットと、
そのブラケットの切り欠き部に挿し込まれる溝部と、その溝部の側溝から連続して外向きに延びる前後の鍔とが形成された、コントロールケーブルの端部を固定する端末固定装置と、
前記ブラケットの切り欠き部とほぼ同形状の開口部が中央付近に形成され、その切り欠き部の周辺に取り付けられると共に、前記端末固定装置とブラケットとの間に介在され、それらを連結する板状のスペーサとからなるコントロールケーブルの端部固定構造であって、
前記ブラケットの切り欠き部の両脇に左右一対の取付孔が形成され、
前記スペーサに、その側縁の略中央付近から延びて、前記取付孔に取り付けるための左右一対の取付片と、前記固定装置を挿し込む時はその鍔に押されて撓み、固定装置が挿し込まれると弾性によって元に戻り前記鍔の上面と係合して端末固定装置が上方に抜けるのを防止する左右一対の押さえ片とが形成されており、
前記押さえ片が、前記取付片の上部に形成されていることを特徴とするコントロールケーブルの端部固定構造。
【請求項２】
前記押さえ片が、中央から外に向かって斜め下方に延びる折り曲げ線で折り曲げられ、端末固定装置の鍔側に突出している請求項１記載のコントロールケーブルの端部固定構造。
【請求項３】
前記スペーサが前記ブラケトの前面または後面に取り付けられる１枚の板状に形成されており、
前記取付片が、前記スペーサの両側縁に形成された略垂直に延びている上下方向の折り曲げ線で折り曲げて設けられ、前記ブラケットの取付孔に対し左右方向の外向きに弾性的に当接するように形成されている請求項２記載のコントロールケーブルの端部固定構造。
【請求項４】
前記スペーサに、前記取付片より下方の部分を鍔側に折り曲げた弾性片が形成され、
その弾性片が前記端末固定装置の鍔を軸方向に付勢する請求項３記載のコントロールケーブルの端部固定構造。
【請求項５】
前記スペーサが前記ブラケットを弾力的に挟み込む前後の２枚の板状に形成され、
前記スペーサの取付片と押さえ片との間で左右一対に弾性片が形成され、
その弾性片が前記端末固定装置の前方の鍔を軸方向の前方に付勢しており、
前記取付片が前記スペーサの２枚の板の間に突出して斜め上方に延びるように形成され、
その取付片が、スペーサをブラケットに挿し込む時はそのブラケットに押されて撓むが、ブラケットが挿し込まれると元に戻る弾性により前記取付孔内に突出し、スペーサが上方に抜けるのを防止する請求項２記載のコントロールケーブルの端部固定構造。
【請求項６】
前記スペーサが、その上端から前記端末固定装置の溝部を前記ブラケットの切り欠き部に案内するように斜め上方に延びている案内片と、その上端から垂直に延び、前記取付片との間でブラケットを弾力的に挟持する左右一対の天井片とを有している請求項１、２、３、４または５記載のコントロールケーブルの端部固定構造。
【発明の詳細な説明】
【技術分野】
【０００１】
本発明はコントールケーブルの端末固定装置をブラケットに取り付けるための取付構造に関する。さらに詳しくは、端末固定装置とブラケットとの間に介在されるスペーサを用いた取付構造に関する。
【背景技術】
【０００２】
【特許文献１】特許第３１１９８４０号公報
【特許文献２】特許第３３５６４２６号公報
【０００３】
車両のコントロールケーブルは、トランスミッションとシフトレバーをつなぐシフトコントロールケーブルのように、操作部材と被操作部材との間を連結している。そのようなコントロールケーブルの両端部は、それぞれ端末固定装置によりそれぞれ車体に固定される。その端末固定装置は車体に設けられたブラケットに取付部材（スペーサ）を間に介して固定される。そのスペーサは端末固定装置に予め固定する場合もあるし、ブラケットに予め固定する場合もある。
【０００４】
図６に特許文献１に開示された、スペーサがブラケットに固定されるタイプの従来のコントロールケーブルの端末固定溝造（以下、取付溝造という）を示す。その取付溝造１００は、上方が開口した略Ｕ字状の切り欠き部１０１ａが形成されたブラケット１０１と、そのブラケットの切り欠き部１０１ａとほぼ同じ形状の開口部１０２ｃが形成されたスペーサ１０２とを備えている。そのスペーサ１０２は板の中央付近を折り畳んで前後の板１０２ａ、１０２ｂを形成し、前記ブラケット１０１をその前後から挟み込むようにして取付けられる。
【０００５】
前記ブラケットの切り欠き部１０１ａの上端近辺の内縁側には、外向きに窪んでいる取付溝１０１ｂ、１０１ｂが形成されている。前記スペーサの後方の板１０２ｂには、斜め上方に延びる一対の取付片１０２ｄ、１０２ｄが切り起こしにより形成されている。一方、前記スペーサの前方の板１０２ａには、取付片１０２ｄと対応する位置に開口１０４が形成されている。さらに、その前方の板１０２ａには、端末固定装置１０３をブラケットの切り欠き部１０１ａに取り付けたときに、その端末固定装置１０３の上方への移動を規制する押さえ片１０２ｅ、１０２ｅが切り起こしにより形成されている。その押さえ片１０２ｅは、前記取付片１０２ｄの下方に配置され、折り曲げ線は水平である。また、後方の板１０２ｂを中央付近を前方の板１０２ａ側に湾曲させているものもある。そのため、端末固定装置１０３がブラケットの切り欠き部１０１ａに挿し込まれると、前記湾曲部は元に戻ろうとする弾性により端末固定装置１０３を前方の板１０２ａ側に押圧し、端末固定装置１０３とブラケット１０１との間の遊びをなくす。
【０００６】
また、特許文献１の図１には、スペーサ（固定手段）１０２を端末固定装置（本体）側に取り付けたものが記載されている。このものは前記取付溝造１００とほぼ同じであるが、取付片（突起）１０２ｄに代えて端末固定装置に形成された凹所と係合する係合片を備えている。
【発明の開示】
【発明が解決しようとする課題】
【０００７】
従来技術によると、予めスペーサをブラケットに固定するタイプのものであれば、スペーサをブラケットに取り付けたとき、スペーサのガタ付きが大きい。すなわち、スペーサは、その上方の部分でブラケットに取付られているので、スペーサの下方の部分は自由である。そのため、スペーサが自重により傾いたりして、端末固定装置が挿入しにくい。また、スペーサの上方にブラケットと係合する取付片１０２ｄを設けているので、スペーサのサイズが大きくなり、プレス加工のための順送金型が大きくなるのでコストが高くなる。そして、スペーサのサイズに合わせてブラケットも大きくなり省スペースにすることができない。
【０００８】
さらに、端末固定装置をブラケットの切り欠き部に挿入する際には、押さえ片を弾性的に撓ませながら挿入しなければならない。しかし、その押さえ片の曲げ方向と、端末固定装置の挿入方向とが一致していないので、その挿入力が実側値で２２０Ｎ程度と大きい。また、ブラケットの取付溝に取り付けられるスペーサの取付片が、弾性部位として湾曲した後方の板に形成しているので、端末固定装置が挿入される際に、取付片が弾いて異音が発生する。
【０００９】
そこで、本発明では、スペーサをブラケットへ強固に取り付けることができ、かつ、省スペースで、取り付けが容易なコントロールケーブルの端末固定構造を提供することを課題とする。
【課題を解決するための手段】
【００１０】
本発明のコントロールケーブルの端部固定構造（請求項１）は、上方が開口した略Ｕ字状の切り欠き部が形成されたブラケットと、そのブラケットの切り欠き部に挿し込まれる溝部と、その溝部の側溝から連続して外向きに延びる前後の鍔とが形成された、コントロールケーブルの端部を固定する端末固定装置と、前記ブラケットの切り欠き部とほぼ同形状の開口部が中央付近に形成され、その切り欠き部の周辺に取り付けられると共に、前記端末固定装置とブラケットとの間に介在され、それらを連結する板状のスペーサとからなるコントロールケーブルの端部固定構造であって、前記ブラケットの切り欠き部の両脇に左右一対の取付孔が形成され、前記スペーサに、その側縁の略中央付近から延びて、前記取付孔に取り付けるための左右一対の取付片と、前記固定装置を挿し込む時はその鍔に押されて撓み、固定装置が挿し込まれると弾性によって元に戻り前記鍔の上面と係合して端末固定装置が上方に抜けるのを防止する左右一対の押さえ片とが形成されており、前記押さえ片が、前記取付片の上部に形成されていることを特徴とする。
【００１１】
このようなコントロールケーブルの端部固定構造は、前記押さえ片が、中央から外に向かって斜め下方に延びる折り曲げ線で折り曲げられ、端末固定装置の鍔側に突出しているものが好ましい（請求項２）。また、前記スペーサが前記ブラケトの前面または後面に取り付けられる１枚の板状に形成されており、前記取付片が、前記スペーサの両側縁に形成された略垂直に延びている上下方向の折り曲げ線で折り曲げて設けられ、前記ブラケットの取付孔に対し左右方向の外向きに弾性的に当接するように形成されているものが好ましい（請求項３）。さらに、前記スペーサに、前記取付片より下方の部分を鍔側に折り曲げた弾性片が形成され、その弾性片が前記端末固定装置の鍔を軸方向に付勢するものが好ましい（請求項４）。
【００１２】
また、前記スペーサが前記ブラケットを弾力的に挟み込む前後の２枚の板状に形成され、前記スペーサの取付片と押さえ片との間で左右一対に弾性片が形成され、その弾性片が前記端末固定装置の前方の鍔を軸方向の前方に付勢しており、前記取付片が前記スペーサの２枚の板の間に突出して斜め上方に延びるように形成され、その取付片が、スペーサをブラケットに挿し込む時はそのブラケットに押されて撓むが、ブラケットが挿し込まれると元に戻る弾性により前記取付孔内に突出し、スペーサが上方に抜けるのを防止するものが好ましい（請求項５）。
【００１３】
さらに、前記スペーサが、その上端から前記端末固定装置の溝部を前記ブラケットの切り欠き部に案内するように斜め上方に延びている案内片と、その上端から垂直に延び、前記取付片との間でブラケットを弾力的に挟持する左右一対の天井片とを有しているものが好ましい（請求項６）。
【発明の効果】
【００１４】
本発明のコントロールケーブルの端末固定構造（請求項１）は、スペーサの取付片を押さえ片の下方に配置している。そのため、スペーサのほぼ中央付近がブラケットとの取付部となるので、スペーサの上方あるいは下方の部分のガタ付きが少ない。また、取付片をスペーサの上部に設けなくてもよいので、スペーサの高さ方向のサイズを小さくすることができ、これに伴ってブラケットの高さを低くすることができる。
【００１５】
このようなコントロールケーブルの端末固定構造において、前記押さえ片が、中央から外に向かって斜め下方に延びる折り曲げ線で折り曲げられ、端末固定装置の鍔側に突出している場合は（請求項２）、前記折り曲げ線が、斜め下方に延びているので、端末固定装置が挿し込まれると、前記弾性片はその上方の部分から下方の部分へと次第に押動されていく。そのため端末固定装置は、挿入力を次第に大きくするようにブラケットに挿入することができるので、ブラケットへの取り付けがスムーズである。また、折り曲げ線を斜めにすることで、長い折り曲げ線を形成することができるので、弾性片の弾力を過剰に大きくすることがなく、折り目に加わる荷重も分散させることができる。
【００１６】
前記スペーサが前記ブラケットの前面または後面に取り付けられる１枚の板状に形成されており、前記取付片が、前記スペーサの両側縁に形成された略垂直に延びている上下方向の折り曲げ線で折り曲げて設けられ、前記ブラケットの取付孔に対し左右方向の外向きに弾性的に当接するように形成されている場合は（請求項３）、スペーサをコントロールケーブルの軸方向からブラケットに取り付けることができるので、上方には端末固定装置用のスペースのみで足りる。そのため、省スペースである。また、前記取付片が垂直方向に幅広であるので、スペーサが上方向に抜け出る力を確実に支持することができる。さらに、外向きの弾性により取付孔の内面と当接しているので、スペーサが左右方向にガタ付くのを防止することができる。そのため、端末固定装置を組み付けるのが容易である。
【００１７】
また、前記スペーサに、前記取付片より下方の部分を鍔側に折り曲げた弾性片が形成され、その弾性片が前記端末固定装置の鍔を軸方向に付勢する場合は（請求項４）、端末固定装値の鍔とスペーサとが強く当接して取付状態が安定し、ガタ付きを防止することができる。
【００１８】
さらに、前記スペーサが前記ブラケットを弾力的に挟み込む前後の２枚の板状に形成され、前記スペーサの取付片と押さえ片との間で左右一対に弾性片が形成され、その弾性片が前記端末固定装置の前方の鍔を軸方向の前方に付勢しており、前記取付片が前記スペーサの２枚の板の間に突出して斜め上方に延びるように形成され、その取付片が、スペーサをブラケットに挿し込む時はそのブラケットに押されて撓むが、ブラケットが挿し込まれると元に戻る弾性により前記取付孔内に突出し、スペーサが上方に抜けるのを防止する場合は（請求項５）、弾力を有する部分を形成するためにスペーサの全体を湾曲させなくてもよい。そのため、スペーサをブラケットに密着する溝造を採用することができ、それにより、スペーサがブラケット上でガタ付くのを防止することができる。
【００１９】
さらに、前記スペーサが、その上端から前記端末固定装置の溝部を前記ブラケットの切り欠き部に案内するように斜め上方に延びている案内片と、その上端から垂直に延び、前記取付片との間でブラケットを弾力的に挟持する左右一対の天井片とを有している場合は（請求項６）、端末固定装置をスムーズにブラケットの切り欠き部に挿し込むことができるので組み立てが容易になる。また、スペーサがブラケット上に上下左右方向の四方から安定して配置されているので、一層スペーサのガタ付きを防止することができる。
【発明を実施するための最良の形態】
【００２０】
つぎに図面を参照しながら本発明のコントロールケーブルの端末固定構造の実施の形態を説明する。
図１は本発明のコントロールケーブルの端末固定構造の一実施形態を示す分解斜面図、
図２は本発明の端末固定装置の構造を用いたコントロールケーブルの配索状態の一実施形態を示す概略配索図、
図３は図１のスペーサをブラケットに取り付ける工程を示す概略工程図、
図４は端末固定装値のブラケットへの取り付け工程を示す概略工程図、
図５ａは本発明のコントロールケーブルの端末固定構造に用いるスペーサの他の実施の形態を示す正面図、図５ｂは図５ａのスペーサの側面図である。
【００２１】
図２に示すシフトコントロールケーブルＡは、前方のトランスミッションＴと後方のシフトレバーＳとを連結するものである。シフトコントロールケーブルＡのシフトレバーＳ側の端部には、端末固定装置１５が配置されており、本発明のコントロールケーブルの端末固定構造（以下、取付溝造）２０が採用されている。一方、トランスミッションＴ側の端部には異なるタイプの固定装置１７が設けられているが、シフトレバーＳ側と同様な端末固定装置１５を用いることもできる。前記端末固定装置１５は筒状で、一端側の内部にガイドパイプＧが配置されている。そのガイドパイプＧには、コントロールケーブルのインナーケーブルＰの端末が連結されたシャフトＨが通されており、シフトレバーＳに連結されている。一方、前記端末固定装置１５の他端側には、インナーケーブルＰを摺動自在に収納して、トランスミッションＴ側へと案内するアウターケーシングＤが延びている。
【００２２】
前記シフトコントロールケーブルＡが配索される車体には、シフトレバーＳ側の所定の位置に、端末固定装置１５を固定するためのブラケット１０が設けられている。前記ブラケット１０には、その上端縁から下方に向けてＵ字状に切り欠かれた切り欠き部１０ａ（図１参照）が形成されている。その切り欠き部１０ａは略平行の左右の側縁と半円形の下端とからなる。その切り欠き部１０ａの両側には切り欠き部１０ａから独立して略矩形状の取付孔１０ｂ、１０ｂが形成されている。その取付孔１０ｂ、１０ｂに前記スペーサ１が取り付けられ、端末固定装置１５をブラケット１０に固定している。なお、前記スペーサ１はブラケット１０の前端側（図の左側）の面に取り付けられているが、後端側の面に取り付けてもよい。
【００２３】
図１に前記スペーサ１を示す。そのスペーサ１はステンレス鋼板あるいはバネ鋼板などの金属板を略Ｕ字状に打ち抜いて形成される板状（一枚の板状）の部材である。なお、通常は板バネ鋼を用いる。前記スペーサ１には、その中央付近の上端から下方に切り欠かれたＵ字状の開口部２が形成されている。その開口部２は、前記ブラケットの切り欠き部１０ａとほぼ同じＵ字状に形成されている。
【００２４】
前記スペーサ１の左右の上端からは、案内片３、３が上方に延びている。その案内片３、３は中央付近で折り曲げられ傾斜している。前記スペーサ１がブラケット１０に取り付けられると、案内片３、３はブラケット１０の厚みの半分程度まで後方に突出する。前記案内片３、３のさらに外側には、スペーサ１の上端から連続するように、天井片４、４が後方に延びている。その天井片４、４は、上向きに凸となるように円弧状に湾曲した湾曲部４ａ、４ａと、その湾曲部４ａから先端までの平坦に延びる平坦部４ｂとから形成されている（図３参照）。その平坦部４ｂの先端付近は若干上方に向けて傾斜している。そのため、後述するようにブラケット１０の上端面へスムーズに乗り上げることができる。
【００２５】
前記案内片３、３の下方には押さえ片５、５が形成されている。その押さえ片５、５はスペーサ１を切り起こして形成している。すなわち押さえ片５は、略Ｕ字状の切り込みを入れ、曲げ起こしたものであり、上方の部分は切り欠かれないで残されている。そのため、その押さえ片５、５は上方の部分、すなわち前記Ｕ字状の切れ込みの両側の上端を結ぶ線にほぼ沿うように折り曲げられ、その折り曲げ線５ａ、５ａより下方の部分が前方に突出している。その前方に突出した突出部５ｂ、５ｂは後方に弾力的に撓むことができる。また、前記押さえ片５の下端は、前記開口部２の半円状の部分と同心で、直径が端末固定装置１５の鍔（後述する）とほぼ同じ直径の円の一部とされている。また、前記折り曲げ線５ａ、５ａは、左右方向の外向きで、下向きに傾斜するように延びている。
【００２６】
前記押さえ片５、５の下方には、それぞれ取付片６、６が形成されている。その取付片６、６は、スペーサ１の両側縁から外向きに突出して連続する短冊状の部分を後方に垂直に折り曲げて形成している。その取付片６、６はスペーサ１の上下方向の略中間位置に配置されている。その取付片６、６の先端付近には左右方向の外向きに湾曲させた湾曲部６ａ、６ａが形成されている（図３の工程Ｓ３参照）。そして、前記取付片６の先端は、内側に向かう傾斜部６ｂ、６ｂが形成されている。前記取付片６の先端は、前記ブラケット１０の取付孔１０ｂより外側に突出する（図３参照）。
【００２７】
前記スペーサ１の下端付近には、開口部２の下部の半円状の部分を超えて左右方向に延びる折り曲げ線７ａが形成されている。そして、その折り曲げ線７ａより下方の部分は、前方に突出するように折り曲げられた弾性片７である。
【００２８】
次に、図３を用いてスペーサ１をブラケット１０に取り付ける様子を説明する。なお、図３の工程Ｓ２はスペーサ１をブラケット１０取り付ける工程を側面から見た様子で、工程Ｓ３はスペーサ１をブラケット１０取り付ける工程を上面から見た様子を示している。まず、スペーサ１を工程Ｓ１のようにブラケット１０の前方に配置する。次いで、工程Ｓ２のようにスペーサ１をブラケット１０の前面に押し付けて、スペーサ１をブラケット１０に半分だけ取り付ける。なお、スペーサ１を後方（図の右側）に移動させるとき、前記天井片４の平坦部４ｂの先端に形成された斜め上方に延びている部分の下面側が、ブラケット１０の上端面にスムーズに乗り上げる。その際、天井片４の湾曲部４ａは弾力的に持ち上げられる。そして、元に戻ろうとする弾性により平坦部４ｂの下面側がブラケット１０の上端面に弾力的に当接する。一方、前記取付片６は、その傾斜部６ｂの傾斜面が取付孔１０ｂの外側の縁を滑りながら挿入される。そのため、スペーサ１は上方の天井片４が取付片６を足掛りとしてブラケット１０を上下方向に挟み込むように取り付けられる。
【００２９】
そして最終的に、工程Ｓ３のようにスペーサ１をブラケット１０に完全に取り付ける。この工程Ｓ３では、前記取付片６の外側に突出した湾曲部６ａは、次第に内向きに押圧され、ついにはその湾曲部６ａが取付孔１０ｂを貫通する。そうすると、取付片６の元に戻ろうとする弾性により湾曲部６ａがブラケット１０の取付孔１０ｂより外側に拡がるので、取付孔１０ｂから抜けにくい構造となる。また、前記外側に拡がった取付片６はブラケット１０の取付孔１０ｂを内側から外向きに押圧しているので、スペーサ１のブラケット１０への左右方向の取り付け状態が安定する。
【００３０】
この取付溝造２０のスペーサ１は、その中央付近に形成された取付片６、６によりブラケット１０に固定されているので、取り付けられたスペーサ１のガタ付きがスペーサ１の上下端の部分で小さい。また、スペーサ１はブラケット１０の軸方向からプレート１０に取り付けることができるので、ブラケット１０の上方には端末固定装置１５のためのスペースしか必要ないので、省スペースである。
【００３１】
図１に戻って、前記端末固定装置１５には、前記ブラケット１０の前面側に配置される円形の鍔状部材が間隔を空けて並列に配置されている。それらは前方の前方の鍔１５ａおよび後方の後方の鍔１５ｂである。それら前方の鍔１５ａと後方の鍔１５ｂとの間は溝部１６である。その溝部１６にブラケット１０のＵ字状の切り欠き部１０ａの側方の部分が通り、半円の部分が嵌合される。
【００３２】
次に図４を用いて、スペーサ１が取り付けられたブラケット１０に前記端末固定装置１５を固定する様子を説明する。図中の二点鎖線の円のうち、大径の円は端末固定装置１５の前方の鍔１５ａの外形を示す。一方、小径の円は溝部１６の底を示す。
【００３３】
まず、図４の工程Ｓ４のように、端末固定装置１５をスペーサ１の開口部２の上方に配置し、下方に押し付ける。そのとき、そのスペーサ１の案内片３は、端末固定装置１５の前方の鍔１５ａの後方の面をその案内片３の傾斜した上面に沿わせて案内する。そして、前記案内片３は、端末固定装置１５の溝部１６を、ブラケット１０の切り欠き部１０ａの側方の部分に嵌合するように誘導する。また、スペーサ１はその上下方向のほぼ中央付近から延びる取付片６によりブラケット１０に取り付けられているので、ガタ付きが少ない。そのため、端末固定装置１５のブラケット１０への挿入するのが容易である。
【００３４】
次いで、工程Ｓ５のように、端末固定装置１５の前方の鍔１５ｂの下方の部分を、スペーサ１の押さえ片５、５の上方の部分の弾性力に逆らって下方に撓ませてながら押し下げる。その押さえ片５、５の折り曲げ線５ａ、５ａは、斜め下方に延びているので、端末固定装置１５を下方に移動させると、押さえ片５、５はその上方の部分から下方の部分へと次第に後方に押動されていく。そのため端末固定装置１５は、挿入力を次第に大きくするようにブラケット１０に挿入することができるので、ブラケット１０への取り付けがスムーズである。
【００３５】
そして、最終的に工程Ｓ６に示すように、端末固定装置１５をブラケット１０の切り欠き部１０ａに装着する。この状態では、端末固定装置１５の下方の部分がスペーサ１の弾性片７を後方に押動し、逆に端末固定装置１５の前方の鍔１５ａの後方の面は、スペーサ１の押さえ片５、５および弾性片７の元に戻ろうとする弾性力を受けて軸方向前向きに付勢されいる。このように挿入時に端末固定装置１５に加わる力は、前方の鍔１５ａの面が前方に押される一方向の弾性力のみであるので、挿入時に加わる力の方向が安定している。そのため、スムーズに取り付けることができる。さらに、中央の取付片６、６を挟んでその上下に押さえ片５、５と弾性片７が配置されているので、取付片６、６を基点として弾性力が上下にほぼ均等に分散することができる。そのため、小さな挿入力でスムーズに挿入することができる。
【００３６】
さらに、端末固定装置１５をブラケット１０に取り付けていくとき、端末固定装置１５の前方の鍔１５ａの上方の部分が押さえ片５、５を乗り越えて、その下方に移動する。この状態では、押さえ片５、５が元のように前方に突出し、その下側縁は、端末固定装置１５の前方の鍔１５ａの上面と係合するので、上方へ移動するのを防ぐことができる。また、前記押さえ片５の折り曲げ線５ａを斜めに形成しているので、弾性片７を撓ませる力が過剰に大きくならず、折り目に加わる荷重も分散させることができる。また、そのような長い折り曲げ線を斜めに形成しているので、左右方向に省スペースである。
【００３７】
次に、図５を参照して本発明の取付溝造に用いるスペーサの他の実施形態を説明する。図５に示すスペーサ２０は、板状を折り曲げて形成しているが、前述した一枚の板状のスペーサ１と同じ部分が多いので、同じ部分には同じ符号を付してその説明を省略する。前記スペーサ２０は、前板２０ａと、後板２０ｂとからなる。その前板２０ａは前記スペーサ１（図１参照）とほぼ同様である。前板２０ａと後板２０ｂとは、前方から後方にかけて下方に傾斜する案内片３、３により連結されている。そして、それら前板２０ａと後板２０ｂとの隙間はブラケット１０の板厚より狭くされており、ブラケット１０の上方から被せるように取り付けると、ブラケット１０を弾性的に挟持する。また、前記案内片３、３の外側には、天井片４、４が前板２０ａから後板２０ｂに向けて延びている。
【００３８】
前記スペーサ２０の前板２０ａには、後板２０ｂに向けて斜め上方に延びる取付片６が切り起こしにより形成されている。前記スペーサ２０をブラケット１０に挿し込む時は、ブラケット１０が取付片６を押し下げ、撓ませる。そして、スペーサ２０がブラケット１０に完全に挿し込まれると、取付片６は元に戻る弾性によりブラケット１０の取付孔１０ｂ内に突出する。
【００３９】
また、スペーサ２０の前側の板２０ａには、弾性片７が設けられている。その弾性片７は押さえ片５と取付片７との間に設けられている。その弾性片７は、前方に向けて斜め下方に延びており、前板２０ａを切り起こして形成されている。端末固定装置１５は、その前方の鍔１５ａの内面で弾性片７を押し下げながらブラケット１０に装着される。
【図面の簡単な説明】
【００４０】
【図１】図１は本発明のコントロールケーブルの端末固定構造の一実施形態を示す分解斜面図である。
【図２】図２は本発明の端末固定装置の構造を用いたコントロールケーブルの配索状態の一実施形態を示す概略配索図である。
【図３】図３は図１のスペーサをブラケットに取り付ける工程を示す概略工程図である。
【図４】図４は端末固定装値のブラケットへの取り付け工程を示す概略工程図である。
【図５】図５ａは本発明のコントロールケーブルの端末固定構造に用いるスペーサの他の実施の形態を示す正面図、図５ｂは図５ａのスペーサの側面図である。
【図６】図６ａは従来のコントロールケーブルの端末固定構造を模式的に示す一部断面側面図、図６ｂはスペーサが取り付けられたブラケットの正面図である。
【符号の説明】
【００４１】
１  スペーサ
２  開口部
３  案内片
４  天井片
４ａ  湾曲部
４ｂ  平坦部
５  押さえ片
５ａ  折り曲げ線
５ｂ  突出部
６  取付片
６ａ  湾曲部
６ｂ  傾斜部
７  弾性片
７ａ  折り曲げ線
１０  ブラケット
１０ａ  切り欠き部
１０ｂ  取付孔
１５  端末固定装置
１５ａ  前方の鍔
１５ｂ  後方の鍔
１６  溝部
Ａ  シフトトランスケーブル
Ｐ  インナーケーブル
Ｇ  ガイドパイプ
Ｄ  アウターケーシング
Ｔ  トランスミッション
Ｓ  シフトレバー
【図１】
0004928379.tif 000002
【図２】
0004928379.tif 000003
【図３】
0004928379.tif 000004
【図４】
0004928379.tif 000005
【図５】
0004928379.tif 000006
【図６】
0004928379.tif 000007